(57)【特許請求の範囲】
【請求項１】
開口部を形成した天版部と開口部を形成したスラブとの間に設けられた上側水路と、前記スラブと底版部との間に設けられた下側水路とを有する二層構造の取水路にて角落し板によって下側水路の開閉に用いられるため、前記天版部の開口部とスラブの開口部とに架け渡され、かつ、角落し板の各端部をガイドする対をなすガイド部材と、前記ガイド部材を前記天版部の地表側に固定する固定部材と、を備えていることを特徴とする取水路用角落しガイド治具。
【請求項２】
前記対をなすガイド部材を連結する桁部を備えていることを特徴とする請求項１に記載の取水路用角落しガイド治具。
【請求項３】
前記ガイド部材と前記桁部とは、連結・分解可能とされていることを特徴とする請求項２に記載の取水路用角落しガイド治具。
【請求項４】
前記ガイド部材は、角落し板の角部をガイドする一対のアングル状部材と、該一対のアングル状部材を連結する複数の連結部材とを備えていることを特徴とする請求項１ないし３のいずれか一項に記載の取水路用角落しガイド治具。
【請求項５】
前記ガイド部材は、下端側から他方のガイド部材の方に突出した脚部であって、前記スラブに設置される脚部を備えていることを特徴とする請求項１ないし４のいずれか一項に記載の取水路用角落しガイド治具。
【請求項６】
前記ガイド部材と桁部とに架け渡されるステー又はガイド部材の下端部に架け渡される横架部材の少なくともいずれか一方を備えていることを特徴とする請求項１ないし５のいずれか一項に記載の取水路用角落しガイド治具。
【発明の詳細な説明】
【技術分野】
【０００１】
本発明は、上側水路と下側水路とを有する二層構造の取水路で使用する取水路用角落し用ガイド治具に関する。
【背景技術】
【０００２】
例えば、火力発電所や原子力発電所などでは、冷却用の海水を取り入れるための取水路が敷設されている。この取水路は、昇降動する角落し板によって開閉する。そして、角落し板が下降し、取水路を閉じることによって海水が堰き止められ、取水路の点検や清掃などが行われる。この角落し板は、クレーンなどの装置によって吊り下げられて昇降動する（特許文献１参照）。
【０００３】
ところで、取水路は、図４に示すように、地中に敷設される場合（暗渠）がある。この取水路は、上側水路１０１と下側水路１０２の二層構造とされている。上側水路１０１は、一対の側壁部１１１とスラブ１１２と天版部１１３とに囲まれた領域に設けている。下側水路１０２は、一対の側壁部１１４と底版部１１５とスラブ１１２とに囲まれた領域に設けられている。したがって、上側水路１０１と下側水路１０２とは、スラブ１１２によって仕切られている。
【０００４】
また、スラブ１１２と天版部１１３とには、角落し板１（図５参照）が通過する平面視長方形状の開口部１１２ａ，１１３ａが設けられている。平面視長方形状に形成された開口部１１２ａ，１１３ａは、各側壁部１１１，１１４に沿う短辺（採番せず）と、各側壁部１１１，１１４に架け渡される方向の長辺（採番せず）とを有している。
【０００５】
また、天版部１１３の開口部１１３ａの真下にスラブ１１２の開口部１１２ａが設けられている。スラブ１１２の開口部１１２ａの上面には、テーパ面１１２ｂが形成されている。
【０００６】
そして、下側水路１０２の各側壁部１１４には、角落し板１の各端部を嵌め込む溝部１１４ａが開口部に連続して鉛直方向に形成されている。この溝部１１４ａ内には、水密性を確保するためのパッキン（図示せず）が嵌め込まれている。
【０００７】
そして、上側水路１０１には、開口部１１２ａ，１１３ａよりも陸側（図面では右側）に竪壁部１１６が設けられ、上側水路１０１内の海水が竪壁部１１６よりも陸側へ流れないようにされている。このような上側水路１０１が設けられることで、制水量が半減される。
【０００８】
そして、複数枚（図５では２枚）の角落し板１がそれぞれクレーンなどの装置に吊り下げられ、上側水路１０１から下側水路１０２内に下降し、図５に示すように下側水路１０２を閉じることにより、下側水路１０２内の海水が陸側へ流れないように堰き止められる。
【０００９】
このような角落し板１によって海水を堰き止めるには、潜水士が上側水路１０１内の海水中に潜り、天版部１１３の開口部１１３ａから下降してくる角落し板１を潜水士がスラブ１１２の開口部１１２ａへ誘導する。角落し板１の各端部が下側水路１０２の各溝部１１４ａ内に嵌る状態となった後、角落し板１は位置ずれすることなく下降する。そして、下側水路１０２内は、複数枚の角落し板１が積まれることで閉じられ、下側水路１０２内の海水が陸側へ流れないように堰き止められる。
【００１０】
そして、下側水路１０２内で堰き止められた海水を陸側へ流すときは、潜水士が上側水路１０１内に潜り、角落し板１に玉掛け作業を行う。そして、地上でオペレータがクレーンなどの装置を操作することで、下側水路１０２内の角落し板１が上側水路１０１を通過して地上へ吊り上げられる。
【先行技術文献】
【特許文献】
【００１１】
【特許文献１】特開平８−５３８２９号公報
【発明の概要】
【発明が解決しようとする課題】
【００１２】
二層構造の取水路を角落し板１によって開閉するには、上側水路１０１内に潜水する潜水士と、地上でクレーンなどの装置を操作するオペレータとが協同して作業しなければならない。しかし、オペレータは潜水士の作業状況を確認しにくく、作業時間が長引いてしまう。
【００１３】
そこで、本発明は、潜水士が作業しなくても、取水路を開閉できるようにした取水路用角落しガイド治具を提供することを課題とする。
【課題を解決するための手段】
【００１４】
本発明に係る取水路用角落しガイド治具は、開口部を形成した天版部と開口部を形成したスラブとの間に設けられた上側水路と、前記スラブと底版部との間に設けられた下側水路とを有する二層構造の取水路にて角落し板によって下側水路の開閉に用いられるため、前記天版部の開口部とスラブの開口部とに架け渡され、かつ、角落し板の各端部をガイドする対をなすガイド部材と、前記ガイド部材を前記天版部の地表側に固定する固定部材と、を備えていることを特徴としている。
【００１５】
この取水路用角落しガイド治具によれば、対をなすガイド部材が天版部の開口部とスラブの開口部とに架け渡されるように上側水路内に設置されることにより、下側水路の開閉に用いられる角落し板の両端部が対をなすガイド部材にガイドされることとなる。したがって、この取水路用角落しガイド治具を使用することで、潜水士による角落し板の誘導が不要になる。
また、この取水路用角落しガイド治具によれば、固定部材によってガイド部材が天版部の地表側に固定されることで、ガイド部材が位置ずれせず、また、角落し板を引き上げるときに、取水路用角落しガイド治具を連れて上昇しないようにすることができる。
【００１６】
ここで、本発明に係る取水路用角落しガイドの一態様として、前記対をなすガイド部材を連結する桁部を備えている構成を採用することができる。この取水路用角落しガイド治具によれば、桁部によって対をなすガイド部材の間隔を一定に維持することができる。
【００１７】
また、本発明に係る取水路用角落しガイド治具の他態様として、前記ガイド部材と前記桁部とは、連結・分解可能とされている構成を採用することができる。この取水路用角落しガイド治具によれば、不要時には、取水路用角落し板を上側水路内から撤去して倉庫などに保管し、さらに、別の取水路の上側水路内に設置することができる。
【００１９】
また、本発明に係る取水路用角落しガイド治具のさらに異なる他態様として、前記ガイド部材は、角落し板の角部をガイドする一対のアングル状部材と、該一対のアングル状部材を連結する複数の連結部材とを備えている構成を採用することができる。この取水路用角落しガイド治具によれば、ガイド部材が肉抜きされる状態となって軽量化することができる。
【００２０】
また、本発明に係る取水路用角落しガイド治具のさらに異なる他態様として、前記ガイド部材は、下端側から他方のガイド部材の方に突出した脚部であって、前記スラブに設置される脚部を備えている構成を採用することができる。この取水路用角落しガイド治具によれば、ガイド部材が脚部によっても支えられることで、上側水路内に設置された取水路用角落しガイド治具を安定した姿勢とすることができる。
【００２１】
また、本発明に係る取水路用角落しガイド治具のさらに異なる他態様として、前記ガイド部材と桁部とに架け渡されるステー又はガイド部材の下端部に架け渡される横架部材の少なくともいずれか一方を備えている構成を採用することができる。この取水路用角落しガイド治具によれば、ステー又は横架部材の少なくともいずれか一方を備えることにより、取水路用角落しガイド治具が変形しにくいようにすることができる。
【発明の効果】
【００２２】
本発明によれば、潜水士が作業しなくても、取水路を開閉できるようにした取水路用角落しガイド治具を提供することができる。
【図面の簡単な説明】
【００２３】
【図１】図１は、本発明に係る取水路用角落しガイド治具の一実施形態であって、取水路に設置した状態を示し、（ａ）は概略断面正面図、（ｂ）は概略断面側面図である。
【図２】図２は、本発明に係る取水路用角落しガイド治具の一実施形態を示し、（ａ）は概略断面正面図、（ｂ）は概略側面図である。
【図３】図３は、本発明に係る取水路用角落しガイド治具の一実施形態であって、取水路に設置され、角落し板をガイドしている状態を示し、（ａ）は概略断面正面図、（ｂ）は概略断面側面図である。
【図４】図４は、従来の取水路の一例を示し、（ａ）は概略断面正面図、（ｂ）は概略断面側面図である。
【図５】図５は、従来の取水路を角落し板によって閉じた状態を示し、（ａ）は概略断面正面図、（ｂ）は概略断面側面である。
【発明を実施するための形態】
【００２４】
本発明に係る取水路用角落しガイド治具の一実施形態について図１ないし図３を参照しながら説明する。なお、従来と同一部分は、同一符号を付して説明する。
【００２５】
この取水路用角落しガイド治具（以下、「ガイド治具」という。）は、図１に示すように、開口部１１３ａを形成した天版部１１３と開口部１１２ａを形成したスラブ１１２との間に設けられた上側水路１０１と、前記スラブ１１２と底版部１１５との間に設けられた下側水路１０２とを有する二層構造の取水路にて角落し板１によって下側水路１０２の開閉に用いられるのに、前記天版部１１３の開口部１１３ａとスラブ１１２の開口部１１２ａとに架け渡され、かつ、角落し板１の各端部をガイドする対をなすガイド部材１０を備えている。
【００２６】
より具体的には、各ガイド部材１０は、天版部１１３の開口部１１３ａとスラブ１１２の開口部１１２ａの各短辺同士に架け渡され、上側水路１０１の一対の側壁部１１１に沿うように一対で設置される。なお、この上側水路１０１の一対の側壁部１１１には、溝部が形成されておらず、下側水路１０１の一対の側壁部１１４には、スラブ１１２の開口部１１２ａから下方に延びる溝部１１４ａが形成されている。
【００２７】
そして、ガイド部材１０は、図２に示すように、角落し板１の端部の各角部をガイドする一対のように対をなすアングル状部材１１と、一対のアングル状部材１１の間に配置されたフラットバー状部材１３、この一対のアングル状部材１１及びフラットバー状部材１３を連結する連結部材１２とを備えている。このようなガイド部材１０は、肉抜きされた状態となり、軽量化されている。なお、アングル状部材１１は、断面Ｌ字状とされ、鉛直姿勢で設置された状態で内側に角落し板１の端部の角部をガイドする。
【００２８】
また、ガイド治具は、対をなすガイド部材１０を連結する桁部２０を備えている。桁部２０は、一方のガイド部材１０の上端と他方のガイド部材１０の上端部とを連結する。また、桁部２０は、断面Ｌ字状のアングル又はフラットバーによって構成される。
【００２９】
また、桁部２０は、角落し板１が挿通できるように間隔をあけた平行な２本がガイド部材１０に連結される。一方の桁部２０は、ガイド部材１０の上端の一方角部に連結され、他方の桁部２０は、ガイド部材１０の上端の他方角部に連結される。ガイド部材１０と桁部２０とは、連結・分解可能とされている。
【００３０】
そして、ガイド治具は、ガイド部材１０を天版部１１３の地表側に固定する固定部材３０を備えている。この固定部材３０は、上端の連結部材１２の両端を突出させることによって設けられる。あるいは、固定部材３０は、各桁部２０の両端を突出させることによって設けられる。あるいは、固定部材３０は、ブラケットのような部材を上端の連結部材１２又は桁部２０に取り付ける別部材によって設けられる。
【００３１】
いずれにしても、固定部材３０には、アンカーボルト（図示せず）を貫通させる貫通穴（図示せず）が形成されている。アンカーボルトは、天版部１１３の地表側であって、開口部１１３ａに隣接した位置に施工されている。
【００３２】
そして、各ガイド部材１０は、スラブ１１２のテーパ面１１２ｂに設置される脚部１４を備えている。脚部１４は、例えばＬ字状に形成され、一方のアングル状部材１１の下端部から他方のガイド部材１０に向けて突出している。
【００３３】
そして、各ガイド部材１０の下端部、例えば脚部１４間には、１本の横架部材４０が架け渡されている。ただし、横架部材４０は、脚部１４を設けていないアングル状部材１１の下端部間にも架け渡してもよい。この場合、一対の横架部材４０の間隔は、角落し板１が一対の桁部２０間を通過できるように、角落し板１の厚さよりもわずかに広くされる。
【００３４】
また、横架部材４０と桁部２０と一対のアングル状部材１１とによって、このガイド治具は、正面視が四角形枠状に組み立てられる。
【００３５】
そして、各ガイド部材１０の中間部と桁部２０の中間部とに斜め向きのステー５０が取り付けられる。このステー５０によって枠状に組み立てられたガイド治具が変形しにくくされている。
【００３６】
このガイド治具は、以上のように構成される。次に、このガイド治具を取水路で使用する方法について説明する。
【００３７】
取水路では、通常時において、下側水路１０２内に海水が流れ、上側水路１０１内に海水がほぼ充満している。取水路の点検時や清掃時において、下側水路１０２を角落し板１によって堰き止める。そのため、この取水路付近でガイド治具が横臥した姿勢でフレーム状に組み立てられる。
【００３８】
組み立てられたガイド治具は、オペレータがクレーンなどの装置を操作することにより、起立した姿勢で吊り下げられ、天版部１１３の開口部１１３ａから上側水路１０１内に下降する。ガイド治具の下端部がスラブ１１２の開口部１１２ａに当たると、ガイド治具は停止する。
【００３９】
スラブ１１２の開口部１１２ａの上面にテーパ面１１２ｂが形成されているため、ガイド治具の下端部の横架部材４０がこのテーパ面１１２ｂに嵌まり込む状態となる。また、ガイド治具の脚部１４及び横架部材４０がこのテーパ面１１２ｂに支えられる状態となる。
【００４０】
他方、ガイド治具の上端に備えられた固定部材３０が天版部１１３の地表側に重なる。この状態において、天版部１１３の地表側のアンカーボルトがガイド治具の固定部材３０に形成された貫通穴を貫通する。このアンカーボルトにナットが締結されることで、ガイド治具の上部が固定される。
【００４１】
このようにして、ガイド治具が上側水路１０１内に設置される。このガイド治具内に、クレーンなどの装置から吊り下げられた角落し板１が下降する。具体的には、図３に示すように、クレーン（図示せず）から吊り下げられたスリングワイヤー３にリフティングビーム２が吊り下げられ、リフティングビーム２に備えられた吊りフック４が角落し板１の吊りピン（図示せず）に引っ掛けられ、角落し板１が下降する。角落し板１の両端の角部がガイド部材１０のアングル状部材１１にガイドされてスラブ１１２の開口部１１２ａまで真っ直ぐ下降する。
【００４２】
そして、角落し板１は、下側水路１０２内を下降する。このとき、角落し板１の各端部は、下側水路１０２の各側壁部に形成された溝部１１４ａに嵌まるため、真っ直ぐ下降する。下側水路１０２が複数枚の角落し板１によって完全に閉じられると、下側水路１０２内の海水が堰き止められる。
【００４３】
下側水路１０２内に海水を流すときは、クレーンなどの装置によって角落し板１を引き上げる。角落し板１は、下側水路１０２内から上側水路１０１内に上昇する。上側水路１０１内では、角落し板１の両端部がガイド治具のアングル状部材１１にガイドされるため、ふらつくことなく上昇する。また、ガイド治具は、固定部材３０によってガイド部材１０が天版部１１３の地表側に固定されていることから、角落し板１の上昇に連れられて上昇しない。
【００４４】
全ての角落し板１が取水路から排出されると、固定部材３０によるガイド部材１０と天版部１１３の地表側との固定を解除する。そして、クレーンなどの装置によってガイド治具を上側水路１０１内から引き上げる。このガイド治具は、取水路付近の地面上で横倒しとされ、分解される。分解されたガイド治具は、倉庫などに保管され、あるいは、別の取水路付近に搬送される。
【００４５】
本発明は、上記実施の形態に限定することなく、本発明の要旨を逸脱しない範囲で、種々変更することができる。例えば、上記実施の形態では、ガイド部材１０と桁部２０とが連結・分解可能とした。しかし、ガイド治具を上側水路１０１内に恒久的に設置する場合は、分解可能とする必要はない。この場合、ガイド治具は、ガイド部材１０を上側水路１０１の側壁部１１１にボルトなどで固定し、桁部２０を備えないものとしてもよい。
【００４６】
また、上記実施の形態では、ガイド部材１０は、一対のアングル状部材１１、フラットバー状部材１３及び連結部材１２のパーツを備えるものとした。しかし、ガイド部材１０は、フラットバー状部材１３を備えないものとしてもよいし、逆に、パーツを有しない断面コ字状の１枚の板状部材によって構成してもよい。
【００４７】
また、上記実施の形態では、ガイド治具は、ステー５０及び横架部材４０を備えた。しかし、ガイド治具は、ステー５０又は横架部材４０の一方のみ備えてもよい。また、横架部材４０はガイド部材１０の中間部に備えてもよい。
【００４８】
また、上記実施の形態では、桁部２０をガイド部材１０の上端部に連結した。しかし、桁部２０は、ガイド部材１０の中間部に連結してもよいし、上端部と中間部との両方に連結してもよい。さらに、上記実施の形態では、桁部２０を平行な２本で構成した。しかし、桁部２０は、１本のみで構成してもよい。
【符号の説明】
【００４９】
１…………角落し板
１０………ガイド部材
１１………アングル状部材
１２………連結部材
１４………脚部
２０………桁部
３０………固定部材
４０………横架部材
５０………ステー
１０１……上側水路
１０２……下側水路
１１２……スラブ
１１２ａ…開口部
１１３……天版部
１１３ａ…開口部
１１５……底版部
【図１】
0005989714.tif 000002
【図２】
0005989714.tif 000003
【図３】
0005989714.tif 000004
【図４】
0005989714.tif 000005
【図５】
0005989714.tif 000006